(57)【要約】      （修正有）【課題】普通図柄表示装置及び開放抽選保留表示装置の双方をコンパクトにまとめて実装を容易にした遊技機を提供する。【解決手段】パチンコ機は、開放位置と閉止位置とに開閉動作する始動チャッカーと、該始動チャッカーの開放抽選を行う第３抽選手段と、遊技球の通過により開放抽選の契機となり得るスルーゲートと、始動チャッカーを所定時間開放するための開放抽選の結果を普通図柄で表示する普通図柄表示装置１２２と、複数個の発光体の駆動にて開放抽選の複数回分に対応する表示を行う開放抽選保留表示装置１２３とを備える。そして、普通図柄表示装置１２２及び開放抽選保留表示装置１２３が共通の電飾基板９１に実装され、電飾基板９１には、普通図柄表示装置１２２及び開放抽選保留表示装置１２３を遊技機本体側に電気的かつ機械的に接続するコネクタプラグ９０ａ（又はコネクタソケット９０ｂ）が実装されて構成される。【選択図】図９
2011036698.tif 000002
【特許請求の範囲】
【請求項１】
開放位置と閉止位置とに開閉動作する入賞部と、該入賞部の開放抽選を行う開放抽選手段と、遊技球の通過により前記開放抽選の契機となり得る入球ゲートと、前記入賞部を所定時間開放するための前記開放抽選の結果を普通図柄で表示する普通図柄表示装置と、複数個の発光体の駆動にて前記開放抽選の複数回分に対応する表示を行う開放抽選保留表示装置とを備える遊技機において、
前記普通図柄表示装置及び前記開放抽選保留表示装置が共通の基板に実装され、かつ、
前記基板には、前記普通図柄表示装置及び前記開放抽選保留表示装置を遊技機本体側に電気的かつ機械的に接続するためのコネクタプラグ及びコネクタソケットのうち何れか一方が実装されてなる、
ことを特徴とする遊技機。
【発明の詳細な説明】
【技術分野】
【０００１】
本発明は、パチンコ機等の遊技機に関し、詳しくは、各種情報を表示する表示装置を備える遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の図柄表示装置の画面上で所定の演出表示が行われる。大当たりの発生時には、アタッカーと呼ばれる大入賞口が開放し、入球に対応して多量の遊技球が払い出される状態となる。
【０００４】
上記パチンコ機として、大当たり抽選の結果を特別図柄で表示する特別図柄表示エリアと、大当たり抽選の結果を特別図柄に対応する飾り図柄で表示する飾り図柄表示エリア（図柄表示装置）と、複数個の発光ダイオード（以下、ＬＥＤとも言う）を点灯又は消灯させることで大当たり抽選の複数回分に対応する表示を行う始動入賞記憶表示器とを備えたものが知られている（例えば、特許文献２参照）。
【先行技術文献】
【特許文献】
【０００５】
【特許文献１】特開２００３−２３６２１０号公報
【特許文献２】特開２０００−３２５６０８号公報
【発明の概要】
【発明が解決しようとする課題】
【０００６】
ところで、上記特許文献２に記載されたパチンコ機にあっては、特別図柄表示装置としての特別図柄表示エリアと、保留表示装置としての始動入賞記憶表示器が遊技領域内の離れた位置に個別に設置されているため、その設置工程が必ずしも簡便とは言い難かった。そのため、特別図柄表示装置及び保留表示装置の設置を容易に行うことができ、しかも設置に要するスペースを可及的に小さく抑えて装置全体のコンパクト化に寄与することができる構造が切望される。またこのような問題は、遊技中に上記始動チャッカーを所定時間ずつ開放させるために行われる開放抽選の結果を普通図柄で表示（つまり、普通図柄として可変表示器の表示数字や記号等を連続的に変化）させる普通図柄表示装置と、複数個のＬＥＤを点灯又は消灯させることで上記開放抽選の複数回分に対応する表示を行う開放抽選保留表示装置とに関しても同様であった。
【０００７】
そこで本発明は、特別図柄表示装置と大当たり抽選保留表示装置の双方、普通図柄表示装置と開放抽選保留表示装置の双方、或いはこれら装置の全てをコンパクトにまとめ、かつその設置を極めて容易に行い得るように構成し、もって上述した課題を解決した遊技機を提供することを目的とするものである。
【課題を解決するための手段】
【０００８】
本発明は（例えば図１ないし図１１参照）、所定の抽選を行う抽選手段（９５，１１９）と、前記所定の抽選の契機となり得る入賞が行われる入賞部（１６）と、前記所定の抽選の結果を図柄で表示する図柄表示装置（８８，１２２）と、複数個（例えば４個）の発光体（８９ａ，１２３ａ）の駆動にて前記所定の抽選の複数回分（例えば４回分）に対応する表示を行う保留表示装置（８９，１２３）とを備える遊技機（１）において、
前記図柄表示装置（８８，１２２）及び前記保留表示装置（８９，１２３）が共通の基板（９１）に実装され、かつ、
前記基板（９１）には、前記図柄表示装置（８８，１２２）及び前記保留表示装置（８９，１２３）を遊技機本体（２，３）側に電気的かつ機械的に接続するためのコネクタプラグ（９０ａ）及びコネクタソケット（９０ｂ）のうち何れか一方が実装されてなる、
ことを特徴とする遊技機（１）にある。
【０００９】
本発明は（例えば図１、図５及び図６参照）、前記抽選手段が、大当たり抽選を行う大当たり抽選手段（９５）からなり、
前記入賞部が、前記大当たり抽選の契機となり得る入賞が行われる入賞口（１６）からなり、
前記図柄表示装置が、前記大当たり抽選の結果を特別図柄で表示する特別図柄表示装置（８８）からなり、
前記保留表示装置が、複数個の発光体（８９ａ）の駆動にて前記大当たり抽選の複数回分（例えば４回分）に対応する表示を行う大当たり抽選保留表示装置（８９）からなる、ことが好ましい。
【００１０】
なお、本発明に係る遊技機は、始動入賞口への入賞を契機とした大当たり抽選に当選した際に、通常は閉塞しているアタッカーを開放させ、所定時間が経過した時点又は所定個数の遊技球がアタッカーに入賞した時点で閉塞させる動作を所定ラウンド数だけ繰り返し行う構成の第１種特別電動役物と、遊技領域に始動入賞口と該始動入賞口への入賞に基づいて開閉する特定領域を含んだ特別入賞装置とを有し、該特別入賞装置の開放中に遊技球が入球し、更に当該遊技球が特定領域に入賞した時点で大当たりを発生させる構成の第２種特別電動役物と、遊技領域に備えた所謂オープンチャッカーへの入賞時に開放した電動式チューリップへの入球後の特定入賞口への入賞にて大当たりの権利を発生させる構成の第３種特別電動役物とに適用可能であるが、本発明における上記「入賞口」は、第１種及び第２種特別電動役物にあっては上記「始動入賞口」に対応し、また第３種特別電動役物にあっては上記「オープンチャッカー」に対応する。
【００１１】
本発明は（例えば図１、図９ないし図１１参照）、前記入賞部（１６）を所定時間開放するための開放抽選の契機となり得る入球が行われる入球ゲート（６１ａ，６１ｂ）を更に備え、
前記抽選手段が、前記開放抽選を行う開放抽選手段（１１９）からなり、
前記図柄表示装置が、前記開放抽選の結果を普通図柄で表示する普通図柄表示装置（１２２）からなり、
前記保留表示装置が、複数個（例えば４個）の発光体（１２３ａ）の駆動にて前記開放抽選の複数回分（例えば４回分）に対応する表示を行う開放抽選保留表示装置（１２３）からなる、ことを特徴とする。
【００１２】
なお、本発明における上記「入賞」は、賞球を伴った遊技球の進入を意味する概念であり、上記「入球」は、少なくとも入球口に遊技球が入ることを意味し、遊技球の通過のみをも含む概念である。
【００１３】
本発明は（例えば図３、図５、図６、図９及び図１１参照）、前記遊技機本体（２，３）に備えた遊技領域（７ａ）にユニット役物（１２）が配置され、かつ、
前記基板（９１）が前記コネクタプラグ（９０ａ）又は前記コネクタソケット（９０ｂ）と前記ユニット役物（１２）とを介して前記遊技機本体（２，３）側に電気的かつ機械的に接続されてなる、ことが好ましい。
【００１４】
本発明は（例えば図３、図５、図６、図９及び図１１参照）、前記ユニット役物（１２）が、裏側から前記基板（９１）の前記コネクタプラグ（９０ａ）又は前記コネクタソケット（９０ｂ）を結合させることにより前記図柄表示装置（８８，１２２）及び前記保留表示装置（８９，１２３）の双方を前記遊技機本体（２，３）の前方を向いた形で電気的かつ機械的に接続し得る装着部（１１２）を備えてなる、ことが好ましい。
【００１５】
本発明は（例えば図１ないし図１１参照）、前記図柄表示装置（８８，１２２）が、７セグメント表示装置である、ことが好ましい。
【００１６】
本発明は（例えば図１ないし図１１参照）、前記保留表示装置（８９，１２２）が、前記複数の発光体として発光ダイオード（８９ａ，１２３ａ）を配列した表示装置である、ことが好ましい。
【００１７】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１８】
本発明によると、図柄表示装置及び保留表示装置が共通の基板に実装され、この基板に、図柄表示装置及び保留表示装置を遊技機本体側に電気的かつ機械的に接続するためのコネクタプラグ及びコネクタソケットのうち何れか一方が実装されるので、図柄表示装置及び保留表示装置の双方を１つの基板上にまとめた形でコネクタ装着できることで、実装工程が極めて容易になると共に、仕上がり状態がコンパクトになる。
【００１９】
本発明によると、抽選手段が、大当たり抽選を行う大当たり抽選手段からなり、入賞部が、大当たり抽選の契機となり得る入賞が行われる入賞口からなり、図柄表示装置が、大当たり抽選の結果を特別図柄で表示する特別図柄表示装置からなり、保留表示装置が、複数個の発光体の駆動にて大当たり抽選の複数回分に対応する表示を行う大当たり抽選保留表示装置からなる場合、特別図柄表示装置と大当たり抽選保留表示装置とを１つの基板上にまとめた形でコネクタ装着でき、実装工程が極めて容易になると共に、仕上がり状態がコンパクトになる。
【００２０】
本発明によると、入賞部を所定時間開放するための開放抽選の契機となり得る入賞が行われる入球ゲートを更に備え、抽選手段が、開放抽選を行う開放抽選手段からなり、図柄表示装置が、開放抽選の結果を普通図柄で表示する普通図柄表示装置からなり、保留表示装置が、複数個の発光体の駆動にて前記開放抽選の複数回分に対応する表示を行う開放抽選保留表示装置からなるので、普通図柄表示装置と開放抽選保留表示装置とを１つの基板上にまとめた形でコネクタ装着でき、実装工程が極めて容易になると共に、仕上がり状態がコンパクトになる。また、これら普通図柄表示装置及び開放抽選保留表示装置とともに特別図柄表示装置及び大当たり抽選保留表示装置が１つの基板上にまとめられる場合には、実装工程が更に容易になり、仕上がり状態が一層コンパクトになる。
【００２１】
本発明によると、遊技機本体に備えた遊技領域にユニット役物が配置され、かつ基板がコネクタプラグ又はコネクタソケットとユニット役物とを介して遊技機本体側に電気的かつ機械的に接続される場合、図柄表示装置と保留表示装置とを１つの基板を介してユニット役物に極めて簡単にコネクタ装着することができ、これにより、組立て工程が簡便になり、これに伴うコストダウンも期待することができる。
【００２２】
本発明によると、ユニット役物が、裏側から基板のコネクタプラグ又はコネクタソケットを結合させることにより図柄表示装置及び保留表示装置の双方を遊技機本体の前方を向いた形で電気的かつ機械的に接続し得る装着部を備える場合、図柄表示装置と保留表示装置とをユニット役物の所定の装着位置に極めて簡単かつ確実に装着することができる。
【００２３】
本発明によると、図柄表示装置が７セグメント表示装置である場合、装置が極めてシンプルになり、装着スペースが大幅に削減できる。
【００２４】
本発明によると、保留表示装置が、複数の発光体として発光ダイオードを配列した表示装置である場合、装置が極めてシンプルになり、装着スペースが大幅に削減できる。
【図面の簡単な説明】
【００２５】
【図１】第１実施形態におけるパチンコ機の外部構造を示す正面図である。
【図２】本パチンコ機に搭載されたセンター飾りを単体で示す斜視図である。
【図３】センター飾りを示す正面図である。
【図４】図３に示したセンター飾りを同図A-A線に沿って切断して上方から見た状態で示す平面図である。
【図５】特別図柄表示装置及び保留表示装置のセンター飾りへの実装構造を示す分解斜視図である。
【図６】図５の一部を拡大した状態で示す斜視図である。
【図７】本パチンコ機の制御系を示すブロック図である。
【図８】本パチンコ機による作動を説明するためのフローチャートである。
【図９】第２実施形態における特別図柄表示装置と大当たり抽選保留表示装置及び普通図柄表示装置と開放抽選保留表示装置のセンター飾りへの実装構造を示す斜視図である。
【図１０】第２実施形態におけるパチンコ機の制御系の構成を示すブロック図である。
【図１１】第３実施形態における普通図柄表示装置及び開放抽選保留表示装置のセンター飾りへの実装構造を示す分解斜視図である。
【発明を実施するための形態】
【００２６】
以下、本発明に係る遊技機の実施形態として、遊技場等に設置されるパチンコ機を図１ないし図１１に沿って説明する。
【００２７】
なお、本実施の形態では、本発明に係る遊技機を所謂第１種特別電動役物のパチンコ機として述べるが、本発明はこれに限らず、所謂第２種特別電動役物や所謂第３種特別電動役物のパチンコ機にも適用可能であることは勿論である。上記第１種特別電動役物とは、始動入賞口への入賞を契機とした大当たり抽選に当選した際に、通常は閉塞しているアタッカーを開放させ、所定時間が経過した時点又は所定個数の遊技球がアタッカーに入賞した時点で閉塞させる動作を所定ラウンド数だけ繰り返し行う構成の特別電動役物である。上記第２種特別電動役物とは、遊技領域に始動入賞口と該始動入賞口への入賞に基づいて開閉する特定領域を含んだ特別入賞装置とを有し、該特別入賞装置の開放中に遊技球が入球し、更に当該遊技球が特定領域に入賞した時点で大当たりを発生させる構成の特別電動役物である。上記第３種特別電動役物とは、遊技領域に備えた所謂オープンチャッカーへの入賞時に開放した電動式チューリップへの入球後の特定入賞口への入賞にて大当たりの権利を発生させる構成の特別電動役物である。
【００２８】
図１は本発明の実施形態におけるパチンコ機の外部構造を示す正面図、図２は当該パチンコ機に搭載されたセンター飾り（ユニット役物）を単体で示す斜視図、図３は当該センター飾りを示す正面図、図４は、図３に示したセンター飾りを同図A-A線に沿って切断して上方から見た状態で示す平面図、図５は、特別図柄表示装置及びこれに係る保留表示装置のセンター飾りへの実装構造を示す分解斜視図、図６は、図５の一部を拡大した状態で示す斜視図、図７は本パチンコ機の制御系を示すブロック図、図８は本パチンコ機による作動を説明するためのフローチャートである。
【００２９】
＜第１実施形態＞
本実施形態のパチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態でアタッカー１７（図１参照）に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００３０】
図１に示すように、本パチンコ機１は、開口を有する枠体状の筐体２と、この筐体２に開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置２３が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００３１】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００３２】
また、前扉３における上皿１３の下方には下皿１５が配置されており、該下皿１５の右部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。なお、図１中の符号１０は、発射ハンドル９の操作で発射された遊技球を遊技盤７の遊技領域７ａに導くガイドレールを示し、符号２２はアウト口を示している。また、本パチンコ機１には、遊技中に遊技領域７ａにて入賞することなく落下してアウト口２２に入り込んだ遊技球をパチンコ機背面側に導くアウト球通路（図示せず）が設けられている。
【００３３】
遊技領域７ａの中央部には、大当たり抽選の結果を飾り図柄で表示する画像表示装置６を囲繞するように、遊技球ステージＳを有するセンター飾り（ユニット役物）１２が配設されている。センター飾り１２の下部左右には、大当たり抽選に寄与しない一般の入賞が行われる入賞口２９，３０が配設されており、センター飾り１２の下方には、始動チャッカー（入賞部、入賞口）１６とアタッカー１７とが順次配設されている。
【００３４】
センター飾り１２の中央部分には開口１１が形成されており、遊技盤７には、この開口１１から露出するように上記画像表示装置６が設けられている。センター飾り１２は、画像表示装置６の右側に振り分け装置２５を備えており、この振り分け装置２５は、鉛直方向で上下２段に重なるように配置された第１及び第２クルーン３３，３４を備えている。上記始動チャッカー１６は、開放位置と閉止位置とに開閉動作するように、始動チャッカー開閉ソレノイド１０３（図７参照）によって作動させられる。なお、始動チャッカー１６の直上方には、所謂命釘としての一対の障害釘７０が打ち込まれている。
【００３５】
上記「クルーン」という語句は、底面が曲面状に形成され、かつこの底面に複数個の表裏貫通孔を備え、底面上に転動されてきた遊技球を引き続き転動させつつ、貫通孔の何れかに落下させる役物を意味する。
【００３６】
始動チャッカー１６には、大当たり抽選実行の契機となり得る入賞が行われる。また、アタッカー１７は、大当たり発生時に開放され、遊技盤７の遊技領域７ａに打ち出されて転動落下する遊技球Ｂａを入賞させる。アタッカー１７は、大当たり発生中、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００３７】
更に遊技領域７ａには、画像表示装置６の左上方に風車４４が配設されており、画像表示装置６の下方における始動チャッカー１６の左右には、スルーゲート（入球ゲート）６１ａ，６１ｂが配設されている。これらスルーゲート６１ａ，６１ｂは、始動チャッカー１６を開閉動作させるための抽選の契機となる遊技球通過が行われる役物である。
【００３８】
そして、遊技領域７ａにおけるスルーゲート６１ａ，６１ｂ、入賞口２９，３０及び始動チャッカー１６等の周囲には、遊技球ステージＳから零れた遊技球や、発射されてから遊技球ステージＳに関与せずに落下してくる遊技球を適宜散らし、或いは入球に導くようにするための障害釘５４を含む多数の障害釘が打ち込まれている。また、遊技球ステージＳにおけるワープ導入口３２の周囲及びその上方側にも、遊技球を適宜散らし、或いは入球に導くようにするための障害釘２８を含む多数の障害釘が打ち込まれている。このような本パチンコ機１では、遊技領域７に打ち出された遊技球Ｂａを始動チャッカー１６等に、遊技球ステージＳを介して入球させ又は遊技球ステージＳを介さず直接入球させ得るように遊技が進められる。
【００３９】
なお、本実施形態における「ワープ導入」という語句は、遊技領域７ａに打ち出された遊技球を、当該遊技領域７ａの比較的下側に位置する不図示の道釘等を経ることなく、始動チャッカー１６の上に導くことを意味する概念である。また、上記「道釘」とは、遊技領域７ａにおいて始動チャッカー１６左右に打ち込まれた複数本の障害釘（図示せず）の列を意味するもので、上方から転動落下してきた遊技球を始動チャッカー１６方向に導く役割を担っている。
【００４０】
また、アタッカー１７の下方には、普通図柄表示装置１１７と、この普通図柄表示装置１１７の周囲に配置された４個の発光駆動で上記開放抽選の４回分に対応する表示を行う開放抽選保留表示装置１１８とが設けられている。上記普通図柄表示装置１１７は、スルーゲート６１ａ，６１ｂへの入球（球通過）の契機として行われる、始動チャッカー１６を開放させるための開放抽選の結果を、普通図柄で表示するものである。
【００４１】
次に、センター飾り１２について図２ないし図４を参照して説明する。
【００４２】
すなわち、図２ないし図４に示すように、センター飾り１２は、上記開口１１を中央部に有する略筒状の枠体１２ａを備えており、枠体１２ａの周囲には、その複数箇所から外方に張り出すようにブラケット部２７が形成されている。各ブラケット部２７には、夫々枠体１２ａを遊技盤７に埋め込んだ形でネジ止めするために表裏貫通した孔２７ａが形成されている。
【００４３】
枠体１２ａは、その上部中央にワープ導入口３２を有しており、このワープ導入口３２から図の右下方に次第に細くなるように湾曲する形状の稲妻模様３１を有している。また、枠体１２ａ下部におけるブラケット部２７には、遊技球ステージＳの所定部位に連通する球放出口５３が形成されており、この球放出口５３は、始動チャッカー１６の直上方に位置して、放出する遊技球Ｂａが一対の障害釘７０の間を通って始動チャッカー１６にほぼ確実に（つまり、９７〜９９％の確率で）入賞し得るように構成されている。
【００４４】
センター飾り１２は更に、開口１１の右方に、ワープ導入口３２と遊技球ステージＳとの間に配置されて、ワープ導入口３２から導入された遊技球Ｂａの進路を振り分ける振り分け装置２５を備えている。遊技球ステージＳは、振り分け装置２５にて振り分けられたルートの遊技球Ｂａを始動チャッカー１６に比較的高い確率（９７〜９９％(つまり、略１００％)）で入賞させ得る第１ステージＳ１と、振り分け装置２５にて振り分けられたルートの遊技球Ｂａを始動チャッカー１６に比較的低い確率（０〜９６％、より好ましくは３５〜４５％）で入賞させ得る第２ステージＳ２とを備えている。なお、振り分け装置２５によって振り分けられるルートには、第１ステージＳ１及び第２ステージＳ２へのルート以外に、第２クルーン３４から落下した際に遊技球ステージＳの外方に放出されるルートも含まれる。
【００４５】
遊技球ステージＳ、即ち第１ステージＳ１及び第２ステージＳ２は夫々、左右に比較的長尺に延在する平坦面として形成されると共に、同図右方から左方に向かって下降するように傾斜して形成されている。つまり、第１及び第２ステージＳ１，Ｓ２は、同図右方（一側）から遊技球ステージＳの左右幅方向の左方（他側）に向かって徐々に下降するように傾斜して形成されている。この傾斜の角度θ（図３参照）は、２〜５゜の範囲内で適宜設定することができるが、４゜に設定することが、遊技球Ｂａの転がり状態を円滑にする上で好ましい。
【００４６】
また、遊技球ステージＳ、即ち第１ステージＳ１及び第２ステージＳ２は夫々、遊技機本体の奥側から手前側に向かって徐々に下降するように傾斜する遊技球転動面として構成されている。この傾斜角度は、２〜５゜の範囲で適宜設定することができるが、パチンコ機１全体の所謂ネカセ（通常は後方側に１゜傾斜）に鑑み、５゜に設定することが、遊技球Ｂａの転がり状態を円滑にする上で好ましい。つまり、奥側から手前側への傾斜が５゜の場合、ネカセ分の１゜が減算されて４゜となり、最良の傾斜状態が得られることになる。
【００４７】
第１ステージＳ１は、同図の右側に配置された振り分け装置２５から送られた遊技球Ｂａを図の右方から左方に向かって転動させる平坦状の転動面７１と、該転動面７１の奥側及び手前側の２面を区画する側壁４１，４２と、転動面７１の最後部、つまり傾斜に沿った最も低い部分に、転動移動してきた遊技球Ｂａを全て球放出口５３に導く球導入口４５とを備えている。側壁４１，４２の転動面７１側を向く内面には、発光ダイオード（ＬＥＤ）が埋め込まれており、その照射光が転動面７１を適時照明することとなる。第１ステージＳ１における上記転動面７１は、遊技球Ｂａを１個ずつ転動案内できる程度の奥行き幅に構成されている。互いに対向して立設された側壁４１，４２の内面には、第１ステージＳ１の長手方向に沿って互い違いに（つまり千鳥状に）配置された転動速度抑制用の複数の突部４３が形成されている。
【００４８】
第２ステージＳ２は、同図の右側に配置された振り分け装置２５から送られた遊技球Ｂａを図の右方から左方に向かって転動させる平坦状の転動面７２と、該転動面７２の奥側及び手前側の２面を区画する側壁４２，７３と、転動面７２の最後部の一側部に形成されて放出口５３に連通する球導入口４９とを備えている。つまり、この球導入口４９は、第２ステージＳ２においての傾斜に沿った最も低い部分に、転動移動してきた複数の遊技球Ｂａのうちの一部を球放出口５３に導くように設けられている。球導入口４９の周囲には、転動面７２の左方への更なる転動移動を阻止して球導入口４９への落下を確実にさせるための保護枠５０が形成されている。
【００４９】
第２ステージＳ２における上記転動面７２は、遊技球Ｂａを複数個ずつ転動案内できるような、第１ステージＳ１より広い奥行き幅（約３倍）に構成されている。互いに対向して立設された側壁４２，７３の内面には、第２ステージＳ２の長手方向に沿って互い違いに（つまり千鳥状に）配置された転動速度抑制用の複数の突部４６が形成されている。また転動面７２には、振り分け装置２５側における遊技者側（図の手前側）から落下案内溝５２に向かって順に千鳥状に位置する９個の凸部４７が設けられている。凸部４７の当該個数は９個に限定されることはなく、必要に応じて設計時に適宜変更され得るものである。
【００５０】
上記複数個の凸部４７では、最後部の凸部４７Ａに対する遊技球Ｂａの方向や強さを含む弾接状況に応じて、球導入口４９への入球度合いが変わる。複数の凸部４７は、夫々透明材料からなり、球面状に上方に突出する形状を呈すると共に、各中心部４７ａは、転動面７２内に埋め込まれたＬＥＤからの光を上方に向けて射出するように形成される。
【００５１】
なお、上記透明材料の「透明」という語句は、濁りなく完全に透き通る状態のみならず、内方のＬＥＤから問題無く光照射させ得る全ての状態を含む概念である。
【００５２】
ところで、第２ステージＳ２の最も左側の位置には、図１に示すスルーゲート６１ａの上方に位置するように位置決めされた落下案内溝５２が形成されている。この落下案内溝５２は、遊技球ステージＳの前後方向（紙面手前−奥方向）に延在するように形成されており、第２ステージＳ２の転動面７２を転動してきて球導入口４９に入球できなかった遊技球Ｂａをステージ前方側に案内できるように、奥側から手前側に向かって徐々に下降するように傾斜して形成されている。
【００５３】
一方、振り分け装置２５は、図２及び図３の上方から見た平面視（図４参照）において重なるように上下２段に配置された第１及び第２クルーン３３，３４を備えている。鉛直方向上方に位置する第１クルーン３３側には、ワープ導入口３２から導入されて、上記稲妻模様３１内の案内溝７４（図３参照）を転動移動した後、垂直方向案内溝６７（図３参照）を通って落下する遊技球Ｂａを放出する放出口５６が設けられている。
【００５４】
第１クルーン３３には、放出口５６から放出された遊技球Ｂａを、裏面に固定された案内樋６２を介して下方の第２クルーン３４側に落下させるための貫通孔３５と、裏面に固定された案内樋６３を介して第２クルーン３４の下部側の排出口６６に放出するための貫通孔３６とが、センター飾り１２の左右方向（つまり、図１ないし図４における左右方向）に並んで配置されている。なお、図３中の符号７５は、演出用の照明装置を示している。
【００５５】
また、下方に位置する第２クルーン３４側には、上方の第１クルーン３３から案内樋６２を介して放出口５７から放出された遊技球Ｂａを、裏面に固定された案内樋６４を介して第１ステージＳ１に導入するための貫通孔３７と、裏面に固定された案内樋６５を介して、第２ステージＳ２の右前端部の当接部材５１の振り分け部５１ａに落下させるための貫通孔３８とが、センター飾り１２の左右方向（つまり、図１ないし図４における左右方向）に並んで配置されている。
【００５６】
そして、図２に示すように、放出口５６から第１クルーン３３に至るまでの経路には、同図の左方に向かって下降するように傾斜する傾斜案内面５８が形成されている。また、放出口５７から第２クルーン３４に至るまでの経路にも、同様の形状を有する傾斜案内面が形成されている。
【００５７】
また、図２及び図３に示すように、センター飾り１２における開口１１の上部には照明ユニット１１５が配置されており、開口１１の右端部には、振り分け装置２５の左端部にあって上下方向に延設された照明装置３９が配置されている。この照明装置３９は、長手方向に沿って一定間隔で配置された状態で前方を向く複数の射出窓４０を備えると共に、これら射出窓４０より少数で長手方向に沿って配置された不図示の射出窓を備えている。射出窓４０は、遊技者に対し光照射して種々の演出を行うためのものであり、不図示の上記射出窓は、振り分け装置２５側に光照射して第１及び第２クルーン３３，３４及びその近傍を照明するためのものである。
【００５８】
ここで、上記照明ユニット１１５の詳細な構造について図５及び図６に沿って説明する。両図に示すように、照明ユニット１１５は、センター飾り１２の枠体１２ａに固定用ネジｓｃで固定される上部飾り部材８０及びレンズフレーム８４と、このレンズフレーム８４を介して枠体１２ａ側に固定されるレンズ部材８２，８３及び電飾基板８１とを有している。上部飾り部材８０は、前方に突出するネジ止用のボス部８０ａ、及び後方に突出するネジ止用のボス部８０ｂを有している。
【００５９】
図３及び図５に示すように、センター飾り１２の照明ユニット１１５における同図左側部には、裏側から電飾基板９１のコネクタプラグ９０ａを結合させることにより特別図柄表示装置８８及び大当たり抽選保留表示装置８９の双方を遊技機本体（２，３）の前方を向いた形で電気的かつ機械的に接続し得る装着部１１２を有している。コネクタプラグ９０ａは、図６の状態においてコネクタソケット９０ｂ側に突出する多数の導通ピン１１３を備えている。
【００６０】
特別図柄表示装置８８は、大当たり抽選の結果を特別図柄で表示するものであり、７セグメント表示装置によって構成されている。
【００６１】
大当たり抽選保留表示装置８９は、複数個（本実施形態では４個）を図の上下方向（縦方向）に配列したＬＥＤ（発光体）８９ａを点灯又は消灯させた発光駆動を行うことにより、大当たり抽選の複数回分（本実施形態では４回分）に対応する表示を行う（つまり、大当たり抽選の結果を表示する）ものである。
【００６２】
電飾基板９１には、特別図柄表示装置８８及び大当たり抽選保留表示装置８９が実装されると共に、これら特別図柄表示装置８８及び大当たり抽選保留表示装置８９を、上部飾り部材８０側に配設したコネクタソケット９０ｂと、センター飾り１２とを介して遊技機本体（２，３）側に電気的かつ機械的に接続するためのコネクタプラグ９０ａが実装されている。図６において、コネクタソケット９０ｂは、視認を容易にするため上部飾り部材８０から離間させた形で二点鎖線で描いているが、実際には、上部飾り部材８０の裏面側に固着されているため同図の状態で視認することはできない。なお、上記電飾基板９１に、コネクタプラグ９０ａに代えてコネクタソケット９０ｂを実装し、かつコネクタプラグ９０ａを上部飾り部材８０側に配設することによっても、同様の作用効果が得られることは勿論である。
【００６３】
電飾基板９１は、上述したように、上部飾り部材８０に裏面側から固定される小型の基板からなり、図３、図５及び図６に示すように、左側部に特別図柄表示装置８８が実装され、略中央部に大当たり抽選保留表示装置８９が実装され、右側部にコネクタプラグ９０ａが実装されている。電飾基板９１における大当たり抽選保留表示装置８９とコネクタプラグ９０ａとの間には、固定用ネジｓｃを貫通して当該電飾基板９１を上部飾り部材８０側に固定するための貫通孔８５ａが形成されている。また、上部飾り部材８０における装着部１１２には、表裏を貫通する開口部８０ｃ等の開口が形成されており、開口部８０ｃ等からセンター飾り前方に露出するように、特別図柄表示装置８８の７セグメント用の保護レンズ８６と、上下方向に４個のレンズ８７ａを配列して大当たり抽選保留表示装置８９のＬＥＤ８９ａの前部を覆うレンズ部材８７とが装着される。
【００６４】
次に、本実施形態におけるパチンコ機１の制御系を図７に沿って説明する。すなわち、本制御系は、主基板９２と、この主基板９２に接続されたサブ基板１０５とを備えている。主基板９２は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。
【００６５】
主基板９２は、入賞判定手段９３、入賞信号出力手段９４、第１抽選手段９５、第２抽選手段９６、遊技制御手段９７、保留手段９８、作動制御手段９９、作動判定手段１００、作動決定手段１０１、及び特別図柄表示制御手段１０２を備えている。また主基板９２には、特別図柄表示装置８８、大当たり抽選保留表示装置８９、始動チャッカー開閉ソレノイド１０３、アタッカー開閉ソレノイド１０４、及び始動チャッカー入賞検知センサ１０９が接続されている。
【００６６】
入賞判定手段９３は、発射ハンドル９の操作で作動する発射装置（図示せず）によって遊技領域７ａに打ち出された遊技球が始動チャッカー１６、入賞口２９，３０、アタッカー１７等の何れかに入賞したとき、当該入賞があった旨を判定する。
【００６７】
入賞信号出力手段９４は、入賞判定手段９３によって入賞が判定されたとき、対応する始動チャッカー１６、入賞口２９，３０、アタッカー１７等に入賞した旨の入賞信号を出力する。
【００６８】
第１抽選手段９５は、入賞信号出力手段９４からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００６９】
第２抽選手段９６は、第１抽選手段９５での大当たり抽選で確変当たりに当選した場合、不図示の演出用メモリに格納された演出乱数値に基づく抽選で、変動の結果、確変当たりに対応する「１１１」、「３３３」や「７７７」等の図柄が大当たり有効ライン上で最終的に揃う旨の変動パターンを決定し、その旨の変動パターンコマンドを出力する。なお、上記「大当たり有効ライン」は、大当たりを得るため図柄が一列に並ぶべき位置（ライン）を意味する。第２抽選手段９６はまた、第１抽選手段９５での大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、この変動パターンコマンドを出力する。第２抽選手段９６はまた、第１抽選手段９５での大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、この変動パターンコマンドを出力する。
【００７０】
遊技制御手段９７は、予め設定された演出データや第２抽選手段９６での抽選結果に応じて、画像表示装置６に表示すべき演出内容に関する信号を、制御コマンドと共にサブ基板１０５の表示制御手段１０７に送信する。
【００７１】
保留手段９８は、第２抽選手段９６から出力された変動パターンコマンドを受信し、始動チャッカー１６への入賞の都度に行われた抽選の結果となる保留球として順次記憶する。当該記憶状況は、対応する信号として保留手段９８から大当たり抽選保留表示装置８９に送信され、最大４個の保留球として、４個のＬＥＤ８９ａを点灯又は消灯させることにより表示される。保留手段９８は、保留球数Ｈが０＜Ｈ＜５であるか否かを常時判定し、保留球数Ｈが４個表示されている間は、始動チャッカー１６への入賞に拘わらず大当たり抽選は行わない。なお、保留球として点灯表示される保留球数は上記「最大４個」に限らず、例えば３個以下、又は５個以上として適宜設定することも可能である。
【００７２】
そして保留手段９８は、保留（記憶）している変動パターンコマンドを順次表示制御手段１０７に送信し、この送信した変動パターンコマンドに基づく演出表示が終了するまでは次の変動パターンコマンドを送信しないようにするための図柄変動禁止フラグを立てる（オンする）と共に、当該オンした図柄変動禁止フラグを解除する時間を計測するための図柄変動タイマ（図示せず）をセットし、変動パターンコマンドの送信に応じて保留球数を１デクリメントする。また保留手段９８は、保留球の消費に応じて保留球数ＨがＨ＜４となった場合、第１抽選手段９５で行われる始動チャッカー１６への入賞に応答した大当たり抽選の結果を保留球として記憶し、保留球数を１インクリメントする。
【００７３】
作動制御手段９９は、作動決定手段１０１の作動開始決定の旨の信号に基づき、始動チャッカー開閉ソレノイド１０３に駆動信号を送って該ソレノイド４５を作動させて始動チャッカー１６を開放又は閉塞動作させる。更に作動制御手段９９は、アタッカー開閉ソレノイド１０４に駆動信号を送って該ソレノイド４１を作動させ、第１抽選手段９５での抽選による大当たり発生時にアタッカー１７を開放して所定数入賞が終了する（又は所定時間が経過する）毎に閉塞する動作を所定回数（所定ラウンド）だけ繰り返すように制御する。
【００７４】
作動判定手段１００は、始動チャッカー開閉ソレノイド１０３及びアタッカー開閉ソレノイド１０４を作動させるための条件を満たすか否かを判定する。つまり、始動チャッカー開閉ソレノイド１０３にあって、始動チャッカー１６の開閉の「条件を満たす」時とは、主基板９２において第１抽選手段９５の大当たり抽選とは別途行われる抽選で当選した場合である。アタッカー開閉ソレノイド１０４にあって、アタッカー１７の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー１７の閉塞の「条件を満たす」時とは、大当たり発生時における全ての入賞を完了した場合である。
【００７５】
作動決定手段１０１は、作動判定手段１００からの判定信号を受けて、始動チャッカー開閉ソレノイド１０３、アタッカー開閉ソレノイド１０４の作動開始を夫々に決定する。
【００７６】
特別図柄表示制御手段１０２は、第１抽選手段９５での大当たり抽選の結果を表示するように特別図柄表示装置８８の７セグメントＬＥＤを作動制御する。
【００７７】
特別図柄表示装置８８は、７セグメント表示装置から構成されており、大当たり抽選の結果を特別図柄で表示するものである。なお、７セグメント表示装置としては、７セグメントＬＥＤに限らず、７セグメント状に構成されるものであれば液晶等を用いることも可能である。
【００７８】
大当たり抽選保留表示装置８９は、４個のＬＥＤ８９ａを発光駆動させることにより、大当たり抽選の４回分に対応する表示を行う（大当たり抽選の結果を表示する）ものである。
【００７９】
始動チャッカー開閉ソレノイド１０３は、作動制御手段９９から送信された駆動信号に応答してプランジャ（図示せず）を進退動作させて、始動チャッカー１６を開閉動作させる。
【００８０】
アタッカー開閉ソレノイド１０４は、作動制御手段９９から送信された駆動信号に応答してプランジャ（図示せず）を進退動作させて、アタッカー１７を開閉動作させる。
【００８１】
始動チャッカー入賞検知センサ１０９は、前述した第１ステージ導入検知センサ８２と同様の近接スイッチから構成されて、始動チャッカー１６内の遊技球通過経路に配置されるもので、始動チャッカー１６に進入した遊技球Ｂａの通過を検知し、その検知信号を主基板９２の第２遊技制御手段１０２に送信する。
【００８２】
一方、サブ基板１０５は、演出制御手段１０６及び表示制御手段１０７を有しており、サブ基板１０５には、放音装置８、演出用照明装置２３、及び画像表示装置６が接続されている。
【００８３】
演出制御手段１０６は、主基板９２中の上記マイクロプロセッサから供給される信号に従って、放音装置８、演出用照明装置２３を適時駆動して、遊技者の視覚及び聴覚に訴える演出表示を行う。
【００８４】
表示制御手段１０７は、遊技制御手段９７から送信された演出内容に関する信号に従って画像表示装置６を適時駆動し、大当たり抽選結果を中心とした内容の演出を、遊技者の視覚に訴えるように演出表示する。
【００８５】
放音装置８、演出用照明装置２３及び画像表示装置６は、上述したように各制御に応答して音、光等の発生により、通常時の演出や大当たり時における特別な演出等を行う。
【００８６】
次に、本パチンコ機１による作用について、図８のフローチャートを併せて参照しつつ説明する。
【００８７】
すなわち、本パチンコ機１に対面して着座した遊技者が発射ハンドル９を握り、適宜の角度に回動操作すると（ステップＳ１）、発射装置（図示せず）の作動によって遊技球が所定の時間間隔で遊技領域４に向けて連続的に発射される。すると、遊技盤７の遊技領域７ａに打ち出されて転動落下する多数の遊技球は、始動チャッカー１６や入賞口２９，３０に適時入賞し、或いは、これらに寄与せずに転動落下して、遊技領域７ａ最下部のアウト口２２から遊技盤７背面側に排出される。
【００８８】
つまり、遊技領域７ａに向けて打ち出された多数の遊技球Ｂａは、その一部がワープ導入口３２から導入される。ワープ導入口３２から導入された遊技球Ｂａは、案内溝７４（図３）を通って垂直方向案内溝６７を落下し、不図示の落下速度抑制機構によって落下速度を軽減された後、放出口５６から傾斜案内面５８を経由して第１クルーン３３の側壁３３ｂ内に放出され、この側壁３３ｂの内面に沿って回転するように転動する。第１クルーン３３上の遊技球Ｂａは、摩擦抵抗等に起因して転動速度が弱まった段階で、球面状に形成されて低くなっている中心部分に導かれ、貫通孔３５，３６の何れかに落下することとなる。
【００８９】
貫通孔３５に落下した場合、遊技球Ｂａは、案内樋６２から傾斜案内面（図示せず）を経由して第２クルーン３４上の側壁内に放出され、この側壁の内面に沿って回転するように転動する。そして、第２クルーン３４上の遊技球Ｂａは、摩擦抵抗等に起因して転動速度が弱まった段階で、第１クルーン３３と同様形状の中心部分に導かれ、貫通孔３７，３８の何れかに落下することとなる。
【００９０】
一方、第１クルーン３３の貫通孔３６に落下した場合、遊技球Ｂａは、案内樋６３から排出口６６を経由して第２ステージＳ２に向けて放出され、この第２ステージＳ２をその傾斜に沿って図２の左方向に、複数の凸部４７に任意に当接しつつ転動し、最後端の凸部４７Ａに適切な角度で当接する等の偶然的な要件を満たした場合、球導入口４９に導入されて球放出口５３から始動チャッカー１６に入賞し、或いは球導入口４９に入球できずに落下案内溝５２から下方のスルーゲート６１ａに向けて落下されることとなる。なお、球導入口４９に導入された場合であっても、障害釘７０への当接状況により始動チャッカー１６に入賞できない場合があることは言うまでもない。
【００９１】
第２ステージＳ２を遊技球Ｂａが転動する途中、転動面７２では各凸部４７の中心部４７ａに対応するＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００９２】
そして、第２クルーン３４において貫通孔３７に落下した場合、その遊技球Ｂａは、第１ステージ導入検知センサ８２によって通過が検知されると共に、案内樋６４を介して第１ステージＳ１の最右端部に放出され、転動面７１の傾斜に沿って、その進行方向の左右に位置して突出する転動速度抑制用の複数の突部４３に交互に当接しながら緩やかに転動移動する。
【００９３】
更に、最後部にて球導入口４５に入球して球放出口５３から始動チャッカー１６に入賞することとなる。この際も、球導入口４９に導入されても始動チャッカー１６に入賞できない場合があることは言うまでもない。第１ステージＳ１を遊技球Ｂａが転動する途中、側壁４１，４２に埋め込まれたＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００９４】
なお、第２ステージＳ２から落下する遊技球Ｂａは、その落下方向が、始動チャッカー１６上の一対の障害釘７０の間を通過して入球し得る方向と異なるとしても、当該障害釘７０の左右に打ち込まれた不図示の所謂ジャンプ釘や、当該ジャンプ釘から左右方向に配列された道釘（図示せず）で弾かれることにより、所謂命釘である障害釘７０に絡んでその間を落下して始動チャッカー１６に入球することもある。
【００９５】
ところで、上述したように始動チャッカー１６や入賞口２９，３０の何れかに遊技球Ｂａが入賞した場合、入賞判定手段９３が当該入賞を判定し、かつ入賞信号出力手段９４が入賞信号を出力する（ステップＳ２）。この際、保留手段９８は、保留球Ｈが０＜Ｈ＜５であるか否かを常時判定しており、０＜Ｈ＜５を満たすと判定したときには、保留している変動パターンコマンドを、遊技制御手段９７を介して表示制御手段１０７に順次送信し、図柄変動禁止フラグをオンすると共に、図柄変動タイマをセットし、変動パターンコマンドの送信に応じて保留球数を１デクリメントする。また保留手段９８は、当該保留球の消費に応じて保留球数ＨがＨ＜４となった場合、第１抽選手段９５で行われる始動入賞口２６ａ又は２６ｂへの入賞に応じた大当たり抽選の結果を保留球として記憶し、保留球数を１インクリメントする。
【００９６】
そして、大当たり抽選で当選した場合（ステップＳ３）、第１抽選手段９５が当たりフラグをオンすると、第２抽選手段９６が、演出用メモリに格納された演出乱数値に基づく抽選で、大当たりの種別、つまり確変当たり又は通常当たりに対応する変動パターンを決定する。
【００９７】
これにより、ステップＳ４において、画像表示装置６に表示されるべき当たり図柄がセットされ、第２抽選手段９６は、その旨の変動パターンコマンドを出力すると共に、当該変動パターンコマンドに基づく演出表示が終了するまでは次の変動パターンコマンドを送信しないようにするために図柄変動禁止フラグをオンし、当該オンした図柄変動禁止フラグを解除する時間を計測するための図柄変動タイマをセットし、変動パターンコマンドの送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置６に表示される外れ図柄がセットされ、第２抽選手段９６は、その旨の変動パターンコマンドを出力すると共に、図柄変動禁止フラグをオンし、図柄変動タイマをセットし、変動パターンコマンドの送信に応じて保留球数を１デクリメントする。
【００９８】
以上のようにして、遊技制御手段９７が、画像表示装置６に表示すべき演出内容に関する信号を制御コマンドと共にサブ基板１０５の表示制御手段１０７に送信することに基づき、表示制御手段１０７が、画像表示装置６を適時駆動し、大当たり抽選結果に関する内容等を、遊技者の視覚に訴えるように演出表示することとなる（ステップＳ５）。
【００９９】
そして、第１抽選手段９５での抽選結果が画像表示装置６の画面上に表れると、作動制御手段９９が、作動決定手段１０１の作動開始決定の旨の信号に基づき、所定のタイミングでアタッカー開閉ソレノイド１０４に駆動信号を送り、当該ソレノイド４１を作動させてアタッカー１７を開放し、所定数入賞が終了する（又は所定時間が経過する）毎に閉塞する動作を所定回数（所定ラウンド）だけ繰り返させる。これにより、アタッカー１７に入賞した遊技球に対応する多量の遊技球が球供給口１８から上皿１３に払い出されることとなる（ステップＳ６）。
【０１００】
本実施の形態によると、特別図柄表示装置８８及び大当たり抽選保留表示装置８９が共通の電飾基板９１に実装され、この電飾基板９１に、特別図柄表示装置８８及び大当たり抽選保留表示装置８９を遊技機本体側に電気的かつ機械的に接続するためのコネクタプラグ９０ａ（又はコネクタソケット９０ｂ）が実装されるので、特別図柄表示装置８８及び大当たり抽選保留表示装置８９の双方を１つの電飾基板９１上にまとめた形でコネクタ装着できることで、実装工程が極めて容易になると共に、仕上がり状態がコンパクトになるという効果が得られる。
【０１０１】
また、遊技機本体に備えた遊技領域７ａに画像表示装置６が配置され、かつ遊技領域７ａに、画像表示装置６を囲繞するようにセンター飾り１２が配置され、電飾基板９１がコネクタプラグ９０ａ（又はコネクタソケット９０ｂ）とセンター飾り１２とを介して遊技機本体側に電気的かつ機械的に接続されている。このため、特別図柄表示装置８８及び大当たり抽選保留表示装置８９の双方を１つの電飾基板９１を介してセンター飾り１２に極めて簡単に装着することができる。これにより、組立て工程が簡便になり、これに伴うコストダウンも期待することができる。
【０１０２】
更に、センター飾り１２が、裏側から電飾基板９１のコネクタプラグ９０ａ（コネクタソケット９０ｂ）を結合させることにより特別図柄表示装置８８及び大当たり抽選保留表示装置８９の双方を遊技機本体の前方を向いた形で電気的かつ機械的に接続し得る装着部１１２を備えるので、特別図柄表示装置８８及び大当たり抽選保留表示装置８９をセンター飾り１２の所定の装着位置に極めて簡単かつ確実に装着することができる。そして、特別図柄表示装置８８が７セグメント表示装置からなるので、装置が極めてシンプルになり、装着スペースが大幅に削減できる。また、大当たり抽選保留表示装置８９が、複数のＬＥＤ８９ａを配列した表示装置からなるので、装置が極めてシンプルになり、装着スペースが大幅に削減できる。
【０１０３】
＜第２実施形態＞
次に、本発明に係る第２実施形態について図９及び図１０に沿って説明するが、本実施形態は、図１ないし図８に示した第１実施形態に比し、アタッカー１７の下方に配置されていた普通図柄表示装置１１７及び開放抽選保留表示装置１１８を、普通図柄表示装置１２２及び開放抽選保留表示装置１２３として特別図柄表示装置８８及び大当たり抽選保留表示装置８９とともに電飾基板９１に実装した点が異なるだけで、他の部分は略々同一なので、主要部分に同一符号を付して説明を省略する。
【０１０４】
なお、図９は、本実施形態における特別図柄表示装置と大当たり抽選保留表示装置及び普通図柄表示装置と開放抽選保留表示装置のセンター飾りへの実装構造を示す斜視図、図１０は、本実施形態におけるパチンコ機の制御系の構成を示すブロック図である。
【０１０５】
図９に示すように、本実施形態における電飾基板９１は、図柄表示装置６に示した電飾基板９１に比して、図の横方向（左右方向）に略２倍程度幅広に形成されており、中央部分にコネクタプラグ９０ａを固定して有すると共に、電飾基板９１の左右幅方向の一側（左側）に特別図柄表示装置８８及び大当たり抽選保留表示装置８９が実装され、電飾基板９１の左右幅方向の他側（右側）に普通図柄表示装置１２２及び開放抽選保留表示装置１２３が実装されている。
【０１０６】
普通図柄表示装置１２２は、特別図柄表示装置８８と同様に７セグメントＬＥＤから構成され、また開放抽選保留表示装置１２３は、大当たり抽選保留表示装置８９と同様に上下方向に複数（本実施形態では４個）のＬＥＤ１２３ａを備えて構成されている。
【０１０７】
また、本実施形態の制御系は図１０に示すように、図７の制御系の構成に加えて、主基板９２に第３抽選手段１１９及び普通図柄表示制御手段１２０を備え、かつ当該主基板９２に、スルーゲート球通過検知センサ１２１、普通図柄表示装置１２２、及び開放抽選保留表示装置１２３が接続されている。
【０１０８】
第３抽選手段１１９は、スルーゲート６１ａ，６１ｂへの遊技球通過をスルーゲート球通過検知センサ１２１が検知した際の検知信号の入力時、最大保留球数（例えば４個）未満での入賞を契機として、所定時間（確率変動当たり時にあっては例えば１〜３秒、通常当たり時にあっては例えば０．１〜０．５秒）だけ始動チャッカー１６を開放動作させるか否かを開放抽選を、不図示の抽選用メモリから当選乱数値を取得しつつ実行する。
【０１０９】
普通図柄表示制御手段１２０は、第３抽選手段１１９での開放抽選の結果を表示するように普通図柄表示装置１２２の７セグメントＬＥＤを作動制御する。
【０１１０】
スルーゲート球通過検知センサ１２１は、スルーゲート６１ａ，６１ｂに備えた不図示の近接スイッチから構成されており、これらスルーゲート６１ａ，６１ｂの何れかへの遊技球通過を検知し、その検知信号を第３抽選手段１１９に出力する。
【０１１１】
普通図柄表示装置１２２は、７セグメント表示装置から構成されており、開放抽選の結果を普通図柄で表示するものである。なお、７セグメント表示装置としては、７セグメントＬＥＤに限らず、７セグメント状に構成されるものであれば液晶等を用いることも可能である。
【０１１２】
開放抽選保留表示装置１２３は、４個のＬＥＤ１２３ａを発光駆動させることにより、開放抽選の４回分に対応する表示を行う（開放抽選の結果を表示する）ものである。
【０１１３】
なお、本実施形態における第３抽選手段１１９、普通図柄表示制御手段１２０及びスルーゲート球通過検知センサ１２１と同様の機能を有する各手段及びセンサは、図示はしなかったが前述の第１実施形態の制御系においても図１の普通図柄表示装置１１７及び開放抽選保留表示装置１１８を制御するためのものとして具備していた。本第２実施形態にあっては、これらが具現化された形である。
【０１１４】
以上の構成を有する本第２実施形態では、上述した第１実施形態における効果に加えて、普通図柄表示装置１２２及び開放抽選保留表示装置１２３とともに特別図柄表示装置８８及び大当たり抽選に係る大当たり抽選保留表示装置８９が１つの電飾基板９１上にまとめられることにより、実装工程が更に容易になり、仕上がり状態が一層コンパクトになるという効果が得られる。
【０１１５】
＜第３実施形態＞
次に、本発明に係る第３実施形態について図１１に沿って説明するが、本実施形態は、図１ないし図８に示した第１実施形態に比し、電飾基板９１に、普通図柄表示装置１２２及び開放抽選保留表示装置１２３を実装した点が異なるだけで、他の部分は略々同一なので、主要部分に同一符号を付して説明を省略する。なお、図１１は、第３実施形態における普通図柄表示装置及び開放抽選保留表示装置のセンター飾りへの実装構造を示す分解斜視図である。
【０１１６】
本実施形態では、図６に示した第１実施形態の構成と略々同様の構成を有するが、電飾基板９１の左右幅方向の一側（左側）には普通図柄表示装置１２２が実装され、かつ他側（右側）にはコネクタプラグ９０ａ（又はコネクタソケット９０ｂでも良い）が実装され、これらの間に開放抽選保留表示装置１２３が実装されている。
【０１１７】
以上の構成を有する本実施形態によると、普通図柄表示装置１２２と開放抽選保留表示装置１２３とを１つの電飾基板９１上にまとめた形でコネクタ装着でき、実装工程が極めて容易になると共に、仕上がり状態がコンパクトになる。
【０１１８】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【符号の説明】
【０１１９】
１：パチンコ機（遊技機）
６：画像表示装置
７：遊技盤
７ａ：遊技領域
１２：センター飾り（ユニット役物）
６１ａ，６１ｂ：スルーゲート（入球ゲート）
８８：特別図柄表示装置
８９：大当たり抽選保留表示装置
８９ａ：発光ダイオード（ＬＥＤ、発光体）
９０ａ：コネクタプラグ
９０ｂ：コネクタソケット
９１：電飾基板（基板）
９５：第１抽選手段（抽選手段）
１１２：装着部
１２２：普通図柄表示装置
１２３：開放抽選保留表示装置
１２３ａ：発光ダイオード（ＬＥＤ、発光体）
【図１】
2011036698.tif 000003
【図２】
2011036698.tif 000004
【図３】
2011036698.tif 000005
【図４】
2011036698.tif 000006
【図５】
2011036698.tif 000007
【図６】
2011036698.tif 000008
【図７】
2011036698.tif 000009
【図８】
2011036698.tif 000010
【図９】
2011036698.tif 000011
【図１０】
2011036698.tif 000012
【図１１】
2011036698.tif 000013